(57)【特許請求の範囲】
【請求項１】
マルチメディア・ブロードキャスト・マルチキャスト・サービス（ＭＢＭＳ）通信を実行する方法であって、
ＭＢＭＳサービス配信のロケーション・エリア情報を取得するステップと、
前記ＭＢＭＳサービス配信の前記ロケーション・エリア情報をユーザ機器（ＵＥ）に通知するステップとを備え、
前記ユーザ機器（ＵＥ）のロケーション情報を、前記ＭＢＭＳサービス配信のロケーション・エリア情報と比較し、かつ
比較結果に基づいてＭＢＭＳ制御チャネル（ＭＣＣＨ）およびＭＣＣＨ情報変更通知を読み取るかどうかを決定することを特徴とする方法。
【請求項２】
前記ＭＢＭＳサービス配信の前記ロケーション・エリア情報は、サービス・エリア（ＳＡ）情報およびセルと前記ＳＡとのマッピング関係情報とを備えるか、または
前記ＭＢＭＳサービス配信の前記ロケーション・エリア情報は、モビリティ管理論理エリア情報を備える、請求項１に記載の方法。
【請求項３】
前記ＭＢＭＳサービス配信の前記取得されたロケーション・エリア情報をＭＢＭＳサービス記述メタデータに埋め込むステップをさらに備え、
前記ＭＢＭＳサービス配信の前記ロケーション・エリア情報を前記ＵＥに通知するステップは、
サービス告知またはサービス発見プロセス中に、前記ＭＢＭＳサービス記述メタデータを使用することにより前記ＭＢＭＳサービス配信の前記ロケーション・エリア情報を前記ＵＥに通知するステップを備える、請求項１に記載の方法。
【請求項４】
マルチメディア・ブロードキャスト・マルチキャスト・サービス（ＭＢＭＳ）を受信する方法であって、
ＭＢＭＳサービス配信のロケーション・エリア情報を受信するステップと、
ユーザ機器（ＵＥ）のロケーション情報を、前記ＭＢＭＳサービス配信のロケーション・エリア情報と比較するステップと、
比較結果に基づいてＭＢＭＳ制御チャネル（ＭＣＣＨ）およびＭＣＣＨ情報変更通知を読み取るかどうかを決定するステップとを備える、方法。
【請求項５】
前記ＵＥの前記ロケーション情報は、前記ＵＥの位置しているセルの情報または前記ＵＥの位置しているマルチキャスト・ブロードキャスト単一周波数ネットワーク（ＭＢＳＦＮ）エリアの情報である、請求項４に記載の方法。
【請求項６】
前記ＵＥによって取得されたＭＢＭＳサービス伝送エリア情報が、サービス・エリア（ＳＡ）内でＭＢＭＳサービスが伝送されることを前記ＵＥに指示する場合、前記ＵＥの前記ロケーション情報は前記ＵＥの位置しているセルの情報であり、
前記ＵＥによって取得された前記ＭＢＭＳサービス伝送エリア情報が、前記ＳＡに対応し前記ＳＡを備えるすべてのＭＢＳＦＮエリア内で前記ＭＢＭＳサービスが伝送されることを前記ＵＥに指示する場合、前記ＵＥの前記ロケーション情報は前記ＵＥの位置している前記ＭＢＳＦＮエリアの情報である、請求項５に記載の方法。
【請求項７】
前記比較するステップは、以下のイベント、
前記ＵＥが電源オンされるかまたは新しいセルに入った後、前記ＵＥの関心対象のＭＢＭＳサービスのセットが空ではない、または
前記ＵＥの関心対象のＭＢＭＳサービスの前記セットが変化する、または
所定の時間が経過する、
に応答して生じる、請求項４に記載の方法。
【請求項８】
マルチメディア・ブロードキャスト・マルチキャスト・サービス（ＭＢＭＳ）通信を実行する装置であって、
ＭＢＭＳサービス配信のロケーション・エリア情報を取得するように構成されたＭＢＭＳサービス・ロケーション取得手段と、
前記ＭＢＭＳサービス配信の前記ロケーション・エリア情報をユーザ機器（ＵＥ）に通知するように構成されたＭＢＭＳサービス・ロケーション通知手段とを備え、
前記ユーザ機器（ＵＥ）のロケーション情報を、前記ＭＢＭＳサービス配信のロケーション・エリア情報と比較し、かつ
比較結果に基づいてＭＢＭＳ制御チャネル（ＭＣＣＨ）およびＭＣＣＨ情報変更通知を読み取るかどうかを決定することを特徴とする装置。
【請求項９】
前記ＭＢＭＳサービス配信の前記ロケーション・エリア情報は、サービス・エリア（ＳＡ）情報およびセルと前記ＳＡとのマッピング関係情報とを備えるか、または
前記ＭＢＭＳサービス配信の前記ロケーション・エリア情報は、モビリティ管理論理エリア情報を備える、請求項８に記載の装置。
【請求項１０】
前記ＭＢＭＳサービス配信の前記取得されたロケーション・エリア情報をＭＢＭＳサービス記述メタデータに埋め込むように構成されたＭＢＭＳサービス・ロケーション埋め込み手段をさらに備え、
前記ＭＢＭＳサービス・ロケーション通知手段は、
サービス告知またはサービス発見プロセス中に、前記ＭＢＭＳサービス記述メタデータを使用することにより前記ＭＢＭＳサービス配信の前記ロケーション・エリア情報を前記ＵＥに通知する手段を備える、請求項８に記載の装置。
【請求項１１】
マルチメディア・ブロードキャスト・マルチキャスト・サービス（ＭＢＭＳ）を受信する装置であって、
ＭＢＭＳサービス配信のロケーション・エリア情報を受信するように構成されたＭＢＭＳサービス・ロケーション受信手段と、
ユーザ機器（ＵＥ）のロケーション情報を前記ＭＢＭＳサービス配信のロケーション・エリア情報と比較するように構成されたロケーション情報比較手段と、
比較結果に基づいてＭＢＭＳ制御チャネル（ＭＣＣＨ）およびＭＣＣＨ情報変更通知を読み取るかどうかを決定するように構成された決定手段とを備える、装置。
【請求項１２】
前記ＵＥの前記ロケーション情報は、前記ＵＥの位置しているセルの情報または前記ＵＥの位置しているマルチキャスト・ブロードキャスト単一周波数ネットワーク（ＭＢＳＦＮ）エリアの情報である、請求項１１に記載の装置。
【請求項１３】
前記ＵＥによって取得されたＭＢＭＳサービス伝送エリア情報が、サービス・エリア（ＳＡ）内で前記ＭＢＭＳサービスが伝送されることを前記ＵＥに指示する場合、前記ＵＥの前記ロケーション情報は前記ＵＥの位置しているセルの情報であり、
前記ＵＥによって取得された前記ＭＢＭＳサービス伝送エリア情報が、前記ＳＡに対応し前記ＳＡを備えるすべてのＭＢＳＦＮエリア内で前記ＭＢＭＳサービスが伝送されることを前記ＵＥに指示する場合、前記ＵＥの前記ロケーション情報は前記ＵＥの位置している前記ＭＢＳＦＮエリアの情報である、請求項１２に記載の装置。
【請求項１４】
前記ロケーション情報比較手段は、以下のイベント、
前記ＵＥが電源オンされるかまたは新しいセルに入った後、前記ＵＥの関心対象のＭＢＭＳサービスのセットが空ではない、または
前記ＵＥの関心対象のＭＢＭＳサービスの前記セットが変化する、または
所定の時間が経過する、
に応答して動作する請求項１１に記載の装置。
【発明の詳細な説明】
【技術分野】
【０００１】
本発明は、マルチメディア・ブロードキャスト・マルチキャスト・サービス（ＭＢＭＳ：Ｍｕｌｔｉｍｅｄｉａ  Ｂｒｏａｄｃａｓｔ  Ｍｕｌｔｉｃａｓｔ  Ｓｅｒｖｉｃｅｓ）の分野に関し、より詳細には、ＭＢＭＳサービス通信を実行するための方法および装置、ならびにＭＢＭＳサービスを受信するための方法および装置に関する。
【背景技術】
【０００２】
現在、ＭＢＭＳの分野において、着信ＭＢＭＳサービスまたはＭＢＭＳ制御チャネル（ＭＣＣＨ：ＭＢＭＳ  Ｃｏｎｔｒｏｌ  Ｃｈａｎｎｅｌ）の変更をユーザ機器（ＵＥ）に通知するために、ネットワーク側（Ｒｅｌｅａｓｅ８より前はＮＢを示すか、またはＲｅｌｅａｓｅ８以降はｅＮＢを示す）において基地局によって、ＭＢＭＳ通知手順が使用されている。アクセス・ネットワークにおいて、これは、ＭＣＣＨ情報変更通知と称される。
【０００３】
現在のセルラー・システムにおいて、ＭＢＭＳサービスを受信することに関心を示すＵＥは、ＭＣＣＨ情報変更通知を定期的に確認する必要があることが規定されている。ＷＣＤＭＡ（登録商標，以下同）システムにおいて、ＭＣＣＨ情報変更通知のインジケータは、ＭＢＭＳ  Ｉｎｄｉｃａｔｉｏｎ  Ｃｈａｎｎｅｌ（ＭＩＣＨ）を介して送信される。Ｌｏｎｇ−Ｔｅｒｍ  Ｅｖｏｌｕｔｉｏｎ（ＬＴＥ）システム（すなわち、３ＧＰＰ  Ｒｅｌｅａｓｅ９およびそれ以降のシステム）の場合、ＭＣＣＨ情報変更通知のインジケータは、物理ダウンリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）を介して送信される。
【０００４】
さらに、ＭＣＣＨ情報変更通知を受信した後、ＭＢＭＳサービスの受信に関心を持つＵＥは、次の変更期間の開始直後から新しいＭＣＣＨ情報を取得する、すなわちＭＣＣＨを読み取って、データを受信するための詳細なＭＢＭＳ制御情報を取得する。当業者には知られているように、ＭＣＣＨ情報は、定期的伝送を実行するために構成可能な反復期間を使用する。
【０００５】
ＭＣＣＨ情報変更通知に加えて、現行のＬＴＥシステムはさらに、たとえばＵＥが電源オンにされるかまたはＵＥが新しいセルに入るなど、ＭＣＣＨの読み取りをトリガーする可能性の高いイベントを定義する。言い換えれば、この２つの事例が発生する場合、ＵＥは即時にＭＣＣＨを読み取る必要がある。そのような設計は、ＵＥがこの２つの事例においていかなるＭＣＣＨ情報変更通知も見逃すことがないよう意図されている。
【発明の概要】
【発明が解決しようとする課題】
【０００６】
本発明者は、ＵＥの関心対象のＭＢＭＳサービスのサービス・エリア（ＳＡ：Ｓｅｒｖｉｃｅ  Ａｒｅａ）が、ＵＥの位置しているマルチキャスト・ブロードキャスト単一周波数ネットワーク（ＭＢＳＦＮ：Ｍｕｌｔｉｃａｓｔ  Ｂｒｏａｄｃａｓｔ  Ｓｉｎｇｌｅ  Ｆｒｅｑｕｅｎｃｙ  Ｎｅｔｗｏｒｋ）エリアをカバーしていない場合（すなわち、ＵＥが関心のあるＭＢＭＳサービスを受信することができない場合）、ＵＥは他のＭＢＭＳサービスには関心はないが、それでもそのさまざまな関連情報を受信しなければならないので、その他のＭＢＭＳサービスのＭＣＣＨ情報変更通知およびＭＣＣＨを読み取ることはＵＥの電力の浪費であることを見出した。
【０００７】
たとえば、図１を参照すると、ＵＥの関心対象のＭＢＭＳサービスのＳＡがＵＥの位置しているＭＢＳＦＮエリアをカバーしていない２つの事例を示す。これらの例において、ＵＥは、ＭＢＭＳサービスＡのみに関心があると仮定する。
【０００８】
事例１において、ＭＢＭＳサービスＡのＳＡのカバレッジ・エリアは、ＵＥの位置しているＭＢＳＦＮエリア１のエリアよりも小さく、したがってＵＥは、ＭＢＭＳサービスＡのＳＡのカバレッジ・エリア内のサービスＡの詳細なＭＢＭＳ制御情報およびサービスデータしか受信することができない。ＵＥがＳＡのカバレッジ・エリアの外に位置していることが、この図から分かる。
【０００９】
事例２において、ＭＢＭＳサービスＡのＳＡのカバレッジ・エリアは、ＭＢＳＦＮエリア２で重複しているが、ＵＥの位置しているＭＢＳＦＮエリア１はカバーしていない。
【００１０】
明らかに、上記のいずれの事例においても、ＵＥがその関心対象のＭＢＭＳサービスＡを受信することは不可能であり、その結果受信されるのは、実質上、関心対象のＭＢＭＳサービスとは無関係な他のＭＢＭＳサービスの詳細なＭＢＭＳ制御情報でしかない。ＭＣＣＨ情報変更通知およびそれらの関心対象ではないＭＢＭＳサービスのＭＣＣＨを読み取ることは、ＵＥの電力の浪費である。
【課題を解決するための手段】
【００１１】
従来技術におけるこの欠点を克服するため、本発明の態様は、ＭＢＭＳ通信を実行するための方法を提供し、方法は、たとえば、ＭＢＭＳサービス配信のロケーション・エリア情報を取得するステップと、ＭＢＭＳサービス配信のロケーション・エリア情報をＵＥに通知するステップとを備えることができる。
【００１２】
本発明のもう１つの態様によれば、ＭＢＭＳサービスを受信するための方法が提供され、方法は、たとえば、ＭＢＭＳサービス配信のロケーション・エリア情報を受信するステップと、ＵＥのロケーション情報を、ＭＢＭＳサービス配信のロケーション・エリア情報と比較するステップと、比較結果に基づいてＭＣＣＨおよびＭＣＣＨ情報変更通知を読み取るかどうかを決定するステップとを備えることができる。
【００１３】
本発明のさらなる態様によれば、ＭＢＭＳ通信を実行するための装置が提供され、装置は、たとえば、ＭＢＭＳサービス配信のロケーション・エリア情報を取得するように構成されたＭＢＭＳサービス・ロケーション取得手段と、ＭＢＭＳサービス配信のロケーション・エリア情報をＵＥに通知するように構成されたＭＢＭＳサービス・ロケーション通知手段とを備える。
【００１４】
本発明のさらなるもう１つの実施形態によれば、ＭＢＭＳサービスを受信するための装置が提供され、装置は、たとえば、ＭＢＭＳサービス配信のロケーション・エリア情報を受信するように構成されたＭＢＭＳサービス・ロケーション受信手段と、ＵＥのロケーション情報を、ＭＢＭＳサービス配信のロケーション・エリア情報と比較するように構成されたロケーション情報比較手段と、比較結果に基づいてＭＣＣＨおよびＭＣＣＨ情報変更通知を読み取るかどうかを決定するように構成された決定手段とを備えることができる。
【００１５】
本発明の技術的解決策によれば、関心対象のＭＢＭＳを選択して受信する場合、ＵＥは、最初に、そのロケーション情報をＭＢＭＳサービス配信のロケーション・エリア情報と比較することにより選択を実行することができる。従来技術と比較すると、この解決策は、ＭＣＣＨ情報変更通知およびＭＣＣＨを読み取るための電力をＵＥが節約できるようにする。
【００１６】
具体的には、（１）本発明の技術的解決策は、ネットワーク側においてＢＭ−ＳＣによるＭＢＭＳサービス配信のロケーション・エリアの提供をサポートし、好ましくは、この情報は、サービス告知手順中またはサービス発見手順中に（ただしこれに限定されることはない）ＭＢＭＳサービス記述メタデータを介して転送される。
【００１７】
（２）ＭＢＭＳサービス配信のロケーション・エリア情報を（サービス発見手順で）要求すること、または（サービス告知手順で）通知されることにより、任意のＵＥは、ＭＢＭＳサービス配信のロケーション・エリア情報と各自のロケーション情報との比較に基づいてその関心対象のＭＢＭＳサービスを選択することができる。たとえば、比較を通じて、受信されるよう意図されるＭＢＭＳサービス配信のロケーション・エリアが各自のロケーションをカバーしないことをＵＥが見出す場合、ＭＢＭＳサービスは関心対象のＭＢＭＳサービスとして選択されなくてもよい（もちろん、将来ＭＢＭＳサービスのロケーション・エリアに入る場合に受信されうるので、選択されてもよい。ＵＥのユーザにはこの選択権がある）。
【００１８】
（３）ＭＢＭＳ情報変更通知を読み取るための前提条件は、ＭＢＭＳサービス配信のロケーション・エリアと本発明の実施形態によるＵＥのロケーション情報との比較である。ＵＥの位置するロケーションがその関心対象のＭＢＭＳサービス配信のロケーション・エリアによってカバーされない場合、ＵＥが再度電源オンになるか、新しいセルに移動するか、またはその関心対象のＭＢＭＳサービスのセットの変更を見出すか、または所定の期間が経過するまで、ＭＢＭＳ情報変更通知の読み取りを停止し、次いで上記の比較プロセスが再度実行される。
【００１９】
（４）任意のＭＢＭＳ情報変更通知を見逃す可能性のある任意の新たに電源オンされるかまたは移動して入るＵＥに、より迅速なＭＢＭＳサービスデータへのアクセスを保証するため、ＭＣＣＨの読み取りもまた、ＭＢＭＳサービス配信のロケーション・エリア情報によって制御される。具体的には、関心対象のＭＢＭＳサービス配信のロケーション・エリアに入る場合（たとえば、ＵＥの電源オンまたはＵＥの移動が行われたとされる）、ＵＥはＭＣＣＨ情報取得手順を適用する必要があることが規定されている。
【００２０】
これらの利点は例示的なものに過ぎず、本発明のその他のさらなる利点は、当業者によって理解されるであろう。
【００２１】
添付の図面を参照して後段の詳細な説明を読めば、本発明の実施形態の上記およびその他の目的、特徴および利点がさらに理解しやすくなるであろう。図面において、本発明の複数の実施形態は、例示的かつ非限定的に示される。
【図面の簡単な説明】
【００２２】
【図１】ＵＥの関心対象のＭＢＭＳサービスのＳＡがＵＥの位置しているＭＢＳＦＮエリアをカバーしていない２つの事例を示す図である。
【図２】本発明の実施形態によるＭＢＭＳサービス通信を実行するための方法を示す概略的な流れ図である。
【図３】本発明の実施形態によるＭＢＭＳサービス通信を受信する方法を示す概略的な流れ図である。
【図４】本発明の実施形態によるＭＢＭＳサービス通信を実行するための装置を示す概略的なブロック図である。
【図５】本発明の実施形態によるＭＢＭＳサービス通信を受信するための装置を示す概略的なブロック図である。
【図６】本発明の実施形態の利益を享受する装置のタイプを示す図である。
【発明を実施するための形態】
【００２３】
以下、本発明の原理および精神は、さまざまな例示的な実施形態を参照して説明される。これらの実施形態は、当業者が、本発明をより深く理解し、本発明をさらに実施することができるようにするために提示されているに過ぎず、本発明の範囲をいかなる方法によっても限定することは意図されていないことを理解されたい。
【００２４】
本発明の実施形態によれば、ＭＢＭＳサービス通信を実行するための方法および装置、ならびにＭＢＭＳサービスを受信するための方法および装置が提供される。
【００２５】
加えて、「取得」という用語は、本明細書において、たとえばＰＵＳＨ、ＰＵＬＬなどのような、現在既存または将来開発されるさまざまな種類の手段を含み、「通知する」という用語は、さまざまな通信方法におけるさまざまな種類の通信プロトコルに従って実施される（たとえば、有線、無線、伝送、転送、自発的、要求に基づいてなど）任意の情報配信を備える。
【００２６】
以下、本発明の原理および精神は、本発明の複数の代表的な実施形態を参照して詳細に説明される。
【００２７】
最初に、図２を参照すると、図２は、本発明の実施形態によるＭＢＭＳサービス通信を実行するための方法２００の概略的な流れ図を示す。たとえば、方法２００は、ネットワーク側においてＢＭ−ＳＣにより実施されてもよい。もちろん、本発明はこれに限定されることはなく、任意の適正なネットワーク側エンティティが方法２００を実施するための主体としての役割を果たすことができる。以下、方法２００は、単に、ＢＭ−ＳＣを実行の主体として示される。
【００２８】
図面において示されるように、方法２００は、たとえば、ＭＢＭＳサービス配信のロケーション・エリア情報を取得するステップ（ステップＳ２０１）を備えることができる。
【００２９】
本発明の一部の実施形態によれば、ＭＢＭＳサービス配信のロケーション・エリア情報は、たとえば、ＭＢＭＳサービスのＳＡ情報（たとえばＳＡ  ＩＤリスト）、およびセルとＳＡとのマッピング関係情報（すなわち、ＳＡがどのセルに対応するか）を備えることができる。具体的には、そのような情報は、オペレータによる構成を通じてＢＭ−ＳＣによって取得されてもよい。
【００３０】
本発明の一部のその他の実施形態によれば、ＭＢＭＳサービス配信のロケーション・エリア情報は、たとえば、モビリティ管理論理エリア情報（たとえば、ＷＣＤＭＡシステムの回線ドメインのロケーション・エリア（ＬＡ）情報、ＬＡ  ＩＤ、ＷＣＤＭＡシステムのパケット・ドメインのルートエリア（ＲＡ）情報、ＲＡ  ＩＤ、またはＬＴＥシステムのトラッキング・エリア（ＴＡ）情報、ＴＡ  ＩＤ、ただしこれらに限定されることはない）を備えることができる。具体的には、モビリティ管理論理エリア情報を取得するステップは、たとえば、セル情報とモビリティ管理論理エリア情報とのマッピング、ならびにセル情報とＳＡ情報とのマッピングを取得する手順を備えることができ、上記の２つのマッピングを使用することにより、ＳＡ情報に対応するモビリティ管理論理エリア情報が取得されてもよい。ＭＢＭＳサービスのＳＡ情報に対応するモビリティ管理論理エリア情報がこのようにして取得されうる理由は、ネットワーク側の操作および管理機能（Ｏ＆Ｍ：Ｏｐｅｒａｔｉｏｎ  ａｎｄ  Ｍａｎａｇｅｍｅｎｔ  ｆｕｎｃｔｉｏｎ）が、セル情報とモビリティ管理論理エリア情報とのマッピング、ならびにセル情報とＳＡ情報とのマッピングを基地局ごとに構成されるからであることに留意されたい。したがって、そのような情報は、Ｏ＆ＭからＢＭ−ＳＣによって取得されてもよい。
【００３１】
次に、図２を参照すると、方法２００は、たとえば、取得されたＭＢＭＳサービス配信のロケーション・エリア情報をＭＢＭＳサービス記述メタデータに埋め込むステップ（ステップＳ２０３）をさらに備えることができることが、この図面から分かる。
【００３２】
当業者に知られているように、ＭＢＭＳサービスを提供するステップは、複数のステージを備える。ここで、ブロードキャストモードにおいては、サービス告知／発見、セッション開始、ＭＢＭＳ通知、データ転送、およびセッション停止を備えるさまざまなステージがある。加えて、サブスクリプション（サービス告知／発見の前）、参加（サービス告知／発見とセッション開始の間）、および退去（セッション停止の後）は、マルチキャストモードに固有である。
【００３３】
したがって、本発明の一部の実施形態によれば、好ましくは、ＢＭ−ＳＣは、取得されたＭＢＭＳサービス配信のロケーション・エリア情報をＭＢＳＭサービス記述メタデータに埋め込むことができる。ここで、当業者に知られているように、ＭＢＭＳサービス記述メタデータは、サービス告知／発見ステージにおいてＢＭ−ＳＣによってＵＥに提供される。サービス告知手順とサービス発見手順は、当業者に知られているので、ここでは詳細には説明されない。
【００３４】
ステップＳ２０３は必須ではないため、このステップは図２において点線のブロックで示されていることに留意されたい。たとえば、ＢＭ−ＳＣは、ＭＢＭＳサービス配信のロケーション情報をＵＥに通知するために個別のメッセージを構築することができるか、またはその他の既存のメッセージを使用してロケーション情報を搬送することができる。これらは当業者によって選択されてもよく、本発明はこれに限定されることはない。
【００３５】
次に、引き続き図２を参照すると、方法２００は、たとえば、ＭＢＭＳサービス配信のロケーション・エリア情報をＵＥに通知するステップ（ステップＳ２０５）をさらに備えることができることが、図２から分かる。
【００３６】
具体的には、ＢＭ−ＳＣは、ＭＢＭＳサービス配信のロケーション・エリア情報、任意の他の既存のメッセージ、またはこのロケーション情報を搬送することができる構築された個別のメッセージが埋め込まれたＭＢＭＳサービス記述メタデータを使用することにより、ＭＢＭＳサービス配信のロケーション・エリア情報をＵＥに通知することができる。
【００３７】
ネットワーク側において実行される方法フローを紹介した後、以下に図３が参照される。具体的には、図３は、本発明の実施形態によるＭＢＭＳサービスを受信するための方法３００の概略的な流れ図を示す。方法３００は、たとえばＵＥによって実行されてもよい。しかし、本発明は、それに限定されることはない。以下、方法３００の実施形態は、単に、ＵＥを実行の主体として示される。
【００３８】
図３において示されるように、方法３００は、たとえば、ＭＢＭＳサービス配信のロケーション・エリア情報を受信するステップ（ステップＳ３０１）を備えることができる。
【００３９】
具体的には、前述のように、ＵＥは、ＭＢＭＳサービス配信のロケーション・エリア情報、任意の他の既存のメッセージ、またはこのロケーション情報を搬送することができる構築された個別のメッセージが埋め込まれたＭＢＭＳサービス記述メタデータの受信を通じて、ＭＢＭＳサービス配信のロケーション・エリア情報を受信することができる。
【００４０】
次に、方法３００は、たとえば、ＵＥのロケーション情報を、ＭＢＭＳサービス配信のロケーション・エリア情報と比較するステップ（ステップＳ３０３）をさらに備えることができる。
【００４１】
本発明の実施形態によれば、ＵＥのロケーション情報は、ＵＥの位置しているセルの情報またはＵＥの位置しているＭＢＳＦＮエリアの情報である。
【００４２】
当業者に知られているように、基地局は、ネットワーク側によって通知されるようにＭＢＭＳサービスのＳＡエリア内でＭＢＭＳサービスを送信することができるか、またはＳＡを備え、ＳＡエリアに対応するすべてのＭＢＳＦＮエリア内でＭＢＭＳサービスを送信するように決定することができ、これは基地局によって決定されてもよい。
【００４３】
本発明の実施形態によれば、（限定的ではなく基地局を含む）ネットワーク側のエンティティは、ＭＢＭＳサービス伝送エリア情報、すなわち、ＭＢＭＳサービスの実際の伝送エリアに関する情報を、ＵＥに送信することができ、これはＭＢＭＳサービスのＳＡロケーション情報またはＳＡを備えＳＡに対応するすべてのＭＢＭＳＦＮエリアの情報であってもよい。
【００４４】
本発明の実施形態によれば、たとえば、３ＧＰＰプロトコルもまた、ＭＢＭＳサービス伝送エリア情報を規定することができ、したがってＵＥは、プロトコルの指定に基づいてＭＢＭＳサービス伝送エリア情報を取得することができる。
【００４５】
したがって、（上記の２つの方法に基づいて）ＵＥによって取得されたＭＢＭＳサービス伝送情報が、ＭＢＭＳサービスがＳＡエリア内で伝送されることをＵＥに指示する場合、ＵＥのロケーション情報はＵＥの位置しているセルの情報である。
【００４６】
ＵＥによって取得されたＭＢＭＳサービス伝送エリア情報が、ＳＡを備えＳＡに対応するすべてのＭＢＳＦＮエリア内でＭＢＭＳサービスが伝送されることをＵＥに指示する場合、ＵＥのロケーション情報はＵＥの位置しているＭＢＳＦＮエリアの情報である。
【００４７】
具体的には、ＵＥのロケーション情報が、ＵＥの位置しているセルの情報である場合、上記の比較するステップは、たとえば、ＵＥの位置しているセル・ロケーションを、ＳＡ情報またはＭＢＭＳサービスのモビリティ管理論理エリア情報（たとえば、ＷＣＤＭＡシステムの回線ドメインのロケーション・エリア情報、ＬＡ  ＩＤ、ＷＣＤＭＡシステムのパケット・ドメインのルートエリア情報、ＲＡ  ＩＤ、またはＬＴＥシステムのトラッキング・エリア情報、ＴＡ  ＩＤ、ただしこれらに限定されることはない）によって指示されるセル・ロケーションと比較するステップを備えることができる。
【００４８】
ＵＥは、ＭＢＭＳサービスのＳＡ情報およびセルとＳＡとのマッピング関係をＢＭ−ＳＣから受信した場合、上記の情報に基づいてどのセルがＳＡによってカバーされるかを決定することができることを、当業者であれば理解するであろう。ＵＥが、ＭＢＭＳサービスのモビリティ管理論理エリア情報をＢＭ−ＳＣから受信した場合、ＵＥはまた、モビリティ管理論理エリアとセルとのその知られているマッピングに基づいてどのセルがモビリティ管理論理エリアによってカバーされるかを決定することもできる。
【００４９】
あるいは、ＵＥのロケーション情報が、ＵＥの位置しているＭＢＳＦＮエリアの情報である場合、上記の比較するステップは、たとえば、ＵＥの位置しているＭＢＳＦＮエリアによってカバーされるセルを、ＳＡ情報またはＭＢＭＳサービスのモビリティ管理論理エリア情報によって指示されるセル・ロケーションと比較するステップを備えることができる。
【００５０】
次に、引き続き図３を参照すると、方法３００は、たとえば、比較結果に基づいて、ＭＣＣＨおよびＭＣＣＨ情報変更通知を読み取るかどうかを決定するステップ（ステップＳ３０５）をさらに備えることができることが分かる。
【００５１】
具体的には、比較結果が、ＭＢＭＳサービス配信のロケーション・エリアがＵＥのロケーション（たとえば、セルまたはＭＢＳＦＮエリア）をカバーすることを指示する場合、ＭＣＣＨおよびＭＣＣＨチャネル変更通知が読み取られ、それ以外の場合、ＭＣＣＨおよびＭＣＣＨチャネル変更通知の読み取りは停止される。
【００５２】
たとえば、上記の比較するステップは、ＵＥが電源オンされるかまたは新しいセルに移動した後、ＵＥの関心対象のＭＢＭＳサービスのセットが空ではない（それ以外の場合、ＵＥはその関心対象のＭＢＭＳサービスを選択するためにすべてのＭＣＣＨを監視する必要がある）、またはＵＥの関心対象のＭＢＭＳサービスのセットが変化する（たとえば、ＵＥのユーザが、選択されていたその関心対象のＭＢＭＳサービスを新たに選択するかまたは削除する）、または所定の時間が経過する（すなわち、定期的に発生する）ようなイベントが生じる場合に実行されてもよい。
【００５３】
本発明の一部の実施形態によれば、好ましくは、ＵＥの位置するロケーションがその関心対象のＭＢＭＳサービス配信のロケーション・エリアによってカバーされない場合、ＵＥが再度電源オンになるか、新しいセルに移動するか、またはその関心対象のＭＢＭＳサービスのセットの変更を見出すか、または所定の期間が経過するまで、ＭＢＭＳ情報変更通知の読み取りを停止し、次いで上記の比較プロセスが再度実行される。
【００５４】
本発明の一部のさらなる実施形態によれば、好ましくは、任意のＭＢＭＳ情報変更通知を見逃す可能性のある任意の新たに電源オンされるかまたは移動して入るＵＥに、より迅速なＭＢＭＳサービスデータへのアクセスを保証するため、ＭＣＣＨの読み取りもまた、ＭＢＭＳサービス配信のロケーション・エリア情報によって制御される。具体的には、関心対象のＭＢＭＳサービス配信のロケーション・エリアに入る場合（たとえば、ＵＥの電源オンまたはＵＥの移動が行われたとされる）、ＵＥはＭＣＣＨ情報取得手順を適用する必要があることが規定されてもよい。
【００５５】
もちろん、上記の比較するステップのトリガー・イベントが例示的なものに過ぎず、本発明を限定するものではないこと、およびＭＢＭＳサービスに関連する任意のイベントが比較するステップをトリガーするために使用されてもよいことを、当業者であれば十分に理解するであろう。たとえば、ＵＥがその関心対象のＭＢＭＳサービスを選択する場合、ＵＥは、最初に比較するステップを実行し、次いで、比較結果に基づいて関心対象のＭＢＭＳサービスとしてＭＢＭＳサービスを選択するかどうかを決定することができる。
【００５６】
以下、ＭＢＭＳサービス通信装置は、本発明の実施形態によるＭＢＭＳサービス通信装置４００の概略的なブロック図を示す図４を参照して説明される。
【００５７】
図４に示されるように、ＭＢＭＳサービ通信装置４００は、たとえば、ＭＢＭＳサービス配信のロケーション・エリア情報を取得するように構成されたＭＢＭＳサービス・ロケーション取得手段４０１と、ＭＢＭＳサービス配信のロケーション・エリア情報をＵＥに通知するように構成されたＭＢＭＳサービス・ロケーション通知手段４０５とを備えることができる。
【００５８】
本発明の実施形態によれば、ＭＢＭＳサービス配信のロケーション・エリア情報は、たとえば、ＳＡ情報、およびセルとＳＡとのマッピング関係情報を備えることができる。
【００５９】
本発明のその他の実施形態によれば、ＭＢＭＳサービス配信のロケーション・エリア情報は、たとえば、モビリティ管理論理エリア情報（たとえば、ＷＣＤＭＡシステムの回線ドメインのロケーション・エリア（ＬＡ）情報、ＬＡ  ＩＤ、ＷＣＤＭＡシステムのパケット・ドメインのルートエリア（ＲＡ）情報、ＲＡ  ＩＤ、またはＬＴＥシステムのトラッキング・エリア（ＴＡ）情報、ＴＡ  ＩＤ、ただしこれらに限定されることはない）を備えることができる。
【００６０】
本発明の実施形態によれば、図４に示されているように、ＭＢＭＳサービス通信装置４００は、たとえば、代替として（点線のブロックにより示される）、ＭＢＭＳサービス配信の取得されたロケーション・エリア情報をＭＢＭＳサービス記述メタデータに埋め込むように構成されたＭＢＭＳサービス・ロケーション埋め込み手段４０３をさらに備えることができる。
【００６１】
本発明の一部の実施形態によれば、ＭＢＭＳサービス・ロケーション通知手段４０５は、たとえば、サービス通知またはサービス発見プロセス中に、ＭＢＭＳサービス記述メタデータを使用することによりＭＢＭＳサービス配信のロケーション・エリア情報をＵＥに通知するための手段をさらに備えることができる。
【００６２】
次に、ＭＢＭＳサービス受信装置は、本発明の実施形態によるＭＢＭＳサービス受信装置５００の概略的なブロック図を示す図５を参照して説明される。
【００６３】
図５に示されるように、ＭＢＭＳサービ受信装置５００は、たとえば、ＭＢＭＳサービス配信のロケーション・エリア情報を受信するように構成されたＭＢＭＳサービス・ロケーション受信手段５０１と、ＵＥのロケーション情報を、ＭＢＭＳサービス配信のロケーション・エリア情報と比較するように構成されたロケーション情報比較手段５０３と、比較結果に基づいてＭＣＣＨおよびＭＣＣＨ情報変更通知を読み取るかどうかを決定するように構成された決定手段５０５とを備えることができる。
【００６４】
本発明の一部の実施形態によれば、ＵＥのロケーション情報は、ＵＥの位置しているセルの情報またはＵＥの位置しているＭＢＳＦＮエリアの情報である。
【００６５】
具体的には、ＵＥによって取得されたＭＢＭＳサービス伝送エリア情報が、ＭＢＭＳサービスがＳＡエリア内で伝送されることをＵＥに指示する場合、ＵＥのロケーション情報はＵＥの位置しているセルの情報である。
【００６６】
ＵＥによって取得されたＭＢＭＳサービス伝送エリア情報が、ＳＡを備えＳＡに対応するすべてのＭＢＳＦＮエリア内でＭＢＭＳサービスが伝送されることをＵＥに指示する場合、ＵＥのロケーション情報はＵＥの位置しているＭＢＳＦＮエリアの情報である。
【００６７】
本発明の実施形態により、ロケーション情報比較手段５０５は、ＵＥが電源オンされるかまたは新しいセルに移動した後、ＵＥの関心対象のＭＢＭＳサービスのセットが空ではない、またはＵＥの関心対象のＭＢＭＳサービスのセットが変化する、または所定の時間が経過するようなイベントに応答して動作する。
【００６８】
詳細には説明されていない手段のさまざまな動作が、方法ステップと同じであることに留意されたい。簡潔にするため、ここではそれらの動作については詳述されない。
【００６９】
次に、図６を参照すると、たとえば移動局１０、およびさらに具体的にはたとえば携帯電話のような、本発明の実施形態の利益を享受するタイプの装置の図を示している。しかし、示されて今後説明される移動局が、以下において、本発明から利益を享受するタイプの移動局を示すに過ぎず、本発明の範囲を限定するものと解釈されるべきではないことに留意されたい。以下において、移動局の複数の実施形態が例示の目的で説明されるが、携帯情報端末（ＰＤＡ）、ページャ、ラップトップのようなその他の装置、およびその他の種類の電子システムもまた、本発明の実施形態を容易に適用することができる。
【００７０】
移動局１０は、本明細書において示され説明される手段を含む、本発明の例示的な実施形態による１つまたは複数の機能を実行するさまざまな手段を備える。しかし、本発明の精神および範囲を逸脱することなく、移動局は１つまたは複数の類似する機能を実行するための代替的な手段を備えることができることを理解されたい。さらに具体的には、たとえば、図６に説明されているように、アンテナ１２に加えて、移動局は、送信機４８、受信機５０、およびプロセッサ５２をさらに備えることができ、プロセッサ５２はそれぞれ送信機および受信機に信号を提供し、送信機および受信機から信号を受信する。これらに信号は、セルラー・システムの適用可能なエアインターフェイス規格に従った信号伝達情報を備え、さらにユーザによって生成されたユーザ音声またはデータも備える。この点に関して、移動局は、１つまたは複数のエアインターフェイス規格、通信プロトコル、モジュレーションタイプ、およびアクセスタイプを使用することによって動作することができる。さらに具体的には、移動局は、さまざまな第１世代（１Ｇ）、第２世代（２Ｇ）、２．５Ｇ、および／または第３世代（３Ｇ）通信プロトコルのうちの任意のプロトコルに従って動作することができる。たとえば、移動局は、２Ｇ無線通信プロトコルＩＳ−１３６（ＴＤＭＡ）、ＧＳＭ（登録商標，以下同）、およびＩＳ−９５（ＣＤＭＡ）に基づいて動作することができる。もう１つの例として、移動局は、２．５Ｇ無線通信プロトコルＧＰＲＳ、ＥＤＧＥなどに基づいて動作することができる。もう１つの例として、移動局は、たとえば、ＷＣＤＭＡ無線アクセス技術のＵＭＴＳネットワークを適用する、３Ｇ無線通信プロトコルに従って動作することができる。デュアルモードまたは高次モードの電話（たとえば、デジタル／アナログまたはＴＤＭＡ／ＣＤＭＡ／アナログ電話）と同様に、一部のＮＡＭＰＳおよびＴＡＣＳ移動局もまた、本発明の教示の利益を享受することができる。
【００７１】
プロセッサ５２が、移動局１０の音声および論理機能を実施するために必要な回路を備えることを理解されたい。たとえば、プロセッサは、デジタル信号プロセッサ・デバイス、マイクロプロセッサ・デバイス、さまざまな種類のＡ／Ｄ変換器、Ｄ／Ａ変換器、およびその他のサポート回路を備えることができる。移動局の制御および信号処理機能は、それらの対応する容量に従ってそれらのデバイス間で分散される。プロセッサは加えて、内部音声エディタ（ＶＣ：ｖｏｉｃｅ  ｅｄｉｔｏｒ）５２ａを備えることができ、内部データモデム（ＤＭ：ｄａｔａ  ｍｏｄｅｍ）５２ｂを備えることができる。さらに、プロセッサは、（以下で説明される）メモリに格納された１つまたは複数のソフトウェアプログラムを操作することができる機能を備えることができる。
【００７２】
移動局１０はまた、通常のイヤフォンまたはスピーカー５４、リンガー５６、マイクロフォン５８、ディスプレイ６０、およびユーザ入力インターフェイスを備えるユーザ・インターフェイスを備え、それらはすべてプロセッサ５２に結合される。図示されていないが、移動局は、移動局の動作に必要なさまざまな回路に電力を供給するためのバッテリを備えることができ、代替として機械的振動を検出可能な出力として提供する。移動局がデータを受信できるようにするユーザ入力インターフェイスは、たとえば、キーパッド６２、タッチディスプレイ（図示せず）、ジョイスティック（図示せず）、およびその他の入力デバイスのような、移動局がデータを受信できるようにする複数のデバイスのいずれかのデバイスを備えることができる。キーパッドを備える例示的な実施形態において、キーパッドは、通常の数字（０〜９）およびその他の関連するキー（＃、＊）、および移動局を操作するためのその他のキーを備える。
【００７３】
移動局１０は、たとえば加入者識別モジュール（ＳＩＭ：Ｓｕｂｓｃｒｉｂｅｒ  Ｉｄｅｎｔｉｆｉｃａｔｉｏｎ  Ｍｏｄｕｌｅ）７０、取り外し可能ユーザ識別モジュール（Ｒ−ＵＩＭ：Ｒｅｍｏｖａｂｌｅ  Ｕｓｅｒ  Ｉｄｅｎｔｉｆｉｃａｔｉｏｎ  Ｍｏｄｕｌｅ）などのようなメモリであって、一般にモバイルユーザに関連付けられている情報要素を格納するメモリをさらに備えることができる。ＳＩＭに加えて、移動局は、その他の取り外し可能および／または固定式メモリを備えることができる。この点に関連して、移動局は、たとえば揮発性ランダム・アクセス・メモリ（ＲＡＭ）のような、データを一時的に格納するためのキャッシュ領域を備える揮発性メモリ７２を備えることができる。移動局は、内蔵および／または取り外し可能であってもよいその他の不揮発性メモリ７４をさらに備えることができる。不揮発性メモリは、付加的または代替的に、たとえばＥＥＰＲＯＭおよびフラッシュメモリなどを含むことができる。メモリは、移動局の機能を実施するために移動局によって使用されうる任意の複数のソフトウェア・アプリケーション、命令、複数の情報、およびデータを格納することができる。本発明の実施形態によれば、たとえば、移動局１０の不揮発性メモリ７４のメモリは、１つまたは複数の特徴を実施するために必要なソフトウェアおよびその他のデータおよび／または設定を格納することができる。この時点において、各特徴は概して、移動局がソフトウェアを実行中および／またはデータおよびその他の設定を使用中に実行可能な対応する機能に関連する。しかし、本明細書において使用される、「特徴」という用語は、関連する機能を指示するだけにとどまらず、メモリに格納されている底層ソフトウェアおよびその他のデータおよび／または設定を指示する。本発明を実施する上で必須ではないが、移動局を端末ユーザに送達する前に、さまざまな特徴がメモリに格納されてもよい。たとえば、製造期間中または端末ユーザに送達される前に、移動局の特定の他のポイントが配信される。後段に説明される対応する特徴を開始する前に、メモリに格納されているさまざまなデータが使用不可にされるので、移動局による操作が不可能になる。各特徴の状況は、さまざまな方法で定義されてもよく、たとえば、特徴が開始されているかまたは使用不可状態にあるかどうかを指示するために、対応する特徴に関連付けられているフラグが使用される。
【００７４】
本発明の実施形態は、ソフトウェア、ハードウェア、またはその組み合わせで実施されてもよい。ハードウェア部分は、特殊な論理によって実施されてもよく、ソフトウェア部分は、メモリに格納されてもよく、マイクロプロセッサまたは専用に設計されたハードウェアのような適切な命令実行システムによって実行されてもよい。当業者であれば、上記の装置および方法が、コンピュータ実行可能命令および／またはプロセッサ制御のコードで実施されてもよく、たとえば、そのようなコードは磁気ディスク、ＣＤ、またはＤＶＤ−ＲＯＭのようなキャリア媒体、もしくは読み取り専用メモリ（ファームウェア）のようなプログラマブルメモリ、もしくは光学または電子信号キャリアのようなデータキャリアで提供されることを理解するであろう。本発明における装置およびそれらのコンポーネントは、大規模集積回路またはゲートアレイのようなハードウェア回路、論理チップまたはトランジスタのような半導体、またはフィールド・プログラマブル・ゲートアレイ、プログラマブル論理デバイスなどのようなプログラマブル・ハードウェアデバイスにより実施されてもよいか、もしくはさまざまなタイプのプロセッサにより実行されるソフトウェアにより実施されてもよいか、もしくは上記のハードウェア回路およびソフトウェアの組み合わせにより実施されてもよい。
【００７５】
ＭＢＭＳサービス通信装置およびＭＢＭＳサービス受信装置の複数の手段または下位手段が上記の詳細な記述で説明されてきたが、そのような区分は任意のものに過ぎないことに留意されたい。実際上、本発明の実施形態によれば、上記で説明される２つまたはそれ以上の手段の特徴および機能は、１つの手段に組み入れられてもよい。同様に、上記で説明される１つの手段の特徴および機能は、複数の手段にさらに組み入れられてもよい。
【００７６】
加えて、本発明の方法の操作が、図面において特定の順序で説明されているが、それらの操作がこの特定の順序に従って実行されるべきであること、もしくは望ましい結果がすべての示される操作を実行することによってのみ達成されうることを要求または暗示するものではない。これに反して、流れ図に示されるステップの実行順序は変更することができる。付加的または代替的に、一部のステップは省略されてもよく、複数のステップは１つのステップにまとめられてもよく、または１つのステップは実行のために複数のステップに分割されてもよい。
【００７７】
本発明は、複数の実施形態を参照して記述されてきたが、本発明が、開示される実施形態に限定されないことを理解されたい。これに反して、本発明は、添付の特許請求の精神および範囲に含まれるさまざまな変更および等価の構成を網羅することを意図している。添付の特許請求の範囲は、最も広範な説明に合致し、そのような変更および等価の構造体および機能をすべて網羅する。
【図１】
0005805300.tif 000002
【図２】
0005805300.tif 000003
【図３】
0005805300.tif 000004
【図４】
0005805300.tif 000005
【図５】
0005805300.tif 000006
【図６】
0005805300.tif 000007